(57)【要約】【課題】  立ち上げミラーの小型化を図り成形金型代が安くつくようにする。【解決手段】  ディスクの半径方向に沿って往復移動可能な合成樹脂製スライドベースに、対物レンズを備えたアクチュエータ、レーザ光源ＬＤ、受光素子ＰＤ及び立ち上げミラーＭが配置されており、前記アクチュエータを駆動して対物レンズをフォーカス方向及びトラッキング方向に移動させ、前記レーザ光源ＬＤから投射光ａを立ち上げミラーＭで反射し対物レンズを通してディスクに投射し、その反射光ｂを対物レンズに通し立ち上げミラーＭで反射して受光素子ＰＤに受光させ、ディスクに記録されている情報を読み取るようにした光ピックアップにおいて、前記立ち上げミラーＭに反射光ｂの軌跡Ｂを取り囲むようにして設定される楕円形有効範囲Ａの長軸Ｏがディスク半径方向Ｘに沿って延ばされている。【選択図】        図６
2007242174.tif 000002
【特許請求の範囲】
【請求項１】
ディスクの半径方向に沿って往復移動可能な合成樹脂製スライドベースに、対物レンズ
を備えたアクチュエータ、レーザ光源、受光素子及び立ち上げミラーが配置されており、
前記アクチュエータを駆動して対物レンズをフォーカス方向及びトラッキング方向に移動
させ、前記レーザ光源から投射光を立ち上げミラーで反射し対物レンズを通してディスク
に投射し、その反射光を対物レンズに通し立ち上げミラーで反射して受光素子に受光させ
、ディスクに記録されている情報を読み取るようにした光ピックアップにおいて、前記立
ち上げミラーに反射光の軌跡を取り囲むようにして設定される楕円形有効範囲の長軸がデ
ィスク半径方向に沿って延ばされ、前記立ち上げミラーをスライドベースに配置するため
の受座が、該スライドベースの光通過孔を間に挟んでそのスライドベースに一体形成され
た互いに平行する一対の略三角形状側壁と、前記光通過孔に接近して両側壁とは直交する
方向に沿ってスライドベースに一体形成された仕切壁とを有し、前記両側壁の内側面に立
ち上げミラーの裏面四隅を支持するための４つの載置台が一体形成されており、立ち上げ
ミラーを両側壁間に挿入して各載置台上に載置し該立ち上げミラーの端縁を仕切壁に当て
つけ、その立ち上げミラーの両側面と各側壁との間に接着剤を塗布することにより、立ち
上げミラーが受座に止着されており、前記４つの載置台のうち、対角線上で対向する２つ
の位置合わせ用載置台のミラー接触面の面積が残りの２つの位置決め用載置台のミラー接
触面の面積よりも小さく設定されていることを特徴とする光ピックアップ。
【請求項２】
ディスクの半径方向に沿って往復移動可能な合成樹脂製スライドベースに、対物レンズ
を備えたアクチュエータ、レーザ光源、受光素子及び立ち上げミラーが配置されており、
前記アクチュエータを駆動して対物レンズをフォーカス方向及びトラッキング方向に移動
させ、前記レーザ光源から投射光を立ち上げミラーで反射し対物レンズを通してディスク
に投射し、その反射光を対物レンズに通し立ち上げミラーで反射して受光素子に受光させ
、ディスクに記録されている情報を読み取るようにした光ピックアップにおいて、前記立
ち上げミラーに反射光の軌跡を取り囲むようにして設定される楕円形有効範囲の長軸がデ
ィスク半径方向に沿って延ばされていることを特徴とする光ピックアップ。
【請求項３】
ディスクの半径方向に沿って往復移動可能な合成樹脂製スライドベースに、対物レンズ
を備えたアクチュエータ、レーザ光源、受光素子及び立ち上げミラーが配置されており、
前記アクチュエータを駆動して対物レンズをフォーカス方向及びトラッキング方向に移動
させ、前記レーザ光源から投射光を立ち上げミラーで反射し対物レンズを通してディスク
に投射し、その反射光を対物レンズに通し立ち上げミラーで反射して受光素子に受光させ
、ディスクに記録されている情報を読み取るようにした光ピックアップにおいて、前記立
ち上げミラーをスライドベースに配置するための受座が、該スライドベースの光通過孔を
間に挟んでそのスライドベースに一体形成された互いに平行する一対の略三角形状側壁と
、前記光通過孔に接近して両側壁とは直交する方向に沿ってスライドベースに一体形成さ
れた仕切壁とを有し、前記両側壁の内側面に立ち上げミラーの裏面四隅を支持するための
４つの載置台が一体形成されており、立ち上げミラーを両側壁間に挿入して各載置台上に
載置し該立ち上げミラーの端縁を仕切壁に当てつけ、その立ち上げミラーの両側面と各側
壁との間に接着剤を塗布することにより、立ち上げミラーが受座に止着されており、前記
４つの載置台のうち、対角線上で対向する２つの位置合わせ用載置台のミラー接触面の面
積が残りの２つの位置決め用載置台のミラー接触面の面積よりも小さく設定されているこ
とを特徴とする光ピックアップ。
【発明の詳細な説明】
【技術分野】
【０００１】
本発明は、ディスク装置（例えばＤＶＤレコーダやＤＶＤプレーヤなど）に使用される
光ピックアップに関し、特に、立ち上げミラーの小型化を図り成形金型代が安くつくよう
にしたものである。
【背景技術】
【０００２】
従来、光ピックアップの技術として特許文献１などに記載したものがあり、その一例を
図７〜図９に基づいて説明すると、これは、ターンテーブル（図示せず）により高速回転
されるディスクＤの半径方向Ｘに沿ってガイドレール１が配置され、該ガイドレール１に
往復移動可能に係合する合成樹脂製スライドベース２に、対物レンズＯＬを備えたアクチ
ュエータ３、レーザダイオードからなるレーザ光源ＬＤ、フォトダイオードからなる受光
素子ＰＤ、立ち上げミラーＭ及びハーフミラーＨＭが配置されている。なお、図８中、Ｃ
はコリメータレンズである。また、図７に示すように、立ち上げミラーＭに対する投射光
ａ（及び反射光ｂ）の投射角度がディスク半径方向Ｘ及びそれと直交するトラック接線方
向Ｙの双方に対して４５°になるように設定されている。
【０００３】
図９に示すように、立ち上げミラーＭの裏面四隅を支持する載置台９〜１２が設けられ
、該各載置台９〜１２のミラー接触面９ａ〜１２ａは略同一矩形状に形成されている。
【０００４】
情報読取手順を説明すると、ディスクＤを高速回転させ、アクチュエータ３を駆動して
、該アクチュエータ３に設けた支軸３ａに沿って対物レンズＯＬをフォーカス方向Ｚに移
動させると共に、支軸３ａ回りで対物レンズＯＬをトラッキング方向、即ち、ディスク半
径方向Ｘに移動させ、レーザ光源ＬＤから投射光ａをハーフミラーＨＭ及び立ち上げミラ
ーＭで反射してコリメータレンズＣ及び対物レンズＯＬを通してディスクＤに投射し、そ
の反射光ｂを対物レンズＯＬ及びコリメータレンズＣに通し立ち上げミラーＭで反射しハ
ーフミラーＨＭを通過して受光素子ＰＤで受光させ、ディスクＤに記録されている情報を
読み取る。
【０００５】
図９に示すように、立ち上げミラーＭには対物レンズＯＬのトラッキング動作によって
ディスク半径方向Ｘに沿って反射光ｂの軌跡Ｂが現れるから、その軌跡Ｂを取り囲むよう
にして楕円形有効範囲Ａが設定される。ここで、有効範囲Ａとは、立ち上げミラーＭに光
学上必要とされる性能（反射率、波面収差など）が基準値に達していることを要求される
範囲であって、反射光ｂの軌跡Ｂを取り囲むことを条件にして自由に設定されており、従
来では、その有効範囲Ａの長軸Ｏが投射光ａ（及び反射光ｂ）の光軸に沿って延ばされて
いる。なお、有効範囲Ａが基準値に達している立ち上げミラーＭだけが合格品とされる。
【０００６】
具体的寸法の一例を示すと、図９に示すように、有効範囲Ａの長径ｈが６ｍｍ、その短
径ｔが４．５ｍｍであって、その長径ｈ及び短径ｔに合わせて立ち上げミラーＭの縦幅Ｈ
及び横幅Ｔが設定されている。
【特許文献１】特開２００５−３３９６５１号公報
【発明の開示】
【発明が解決しようとする課題】
【０００７】
上記従来の構成では、反射光ｂの軌跡Ｂが延びるディスク半径方向Ｘに対して有効範囲
Ａの長軸Ｏが４５°の角度で交差しているため、その有効範囲Ａが反射光ｂの軌跡Ｂより
もかなり大きくなっており、それに伴って、立ち上げミラーＭも大型化してコストアップ
になっている。
【０００８】
また、各載置台９〜１２のミラー接触面９ａ〜１２ａに載置する立ち上げミラーＭの姿
勢を微調整する場合には、成形金型の各ミラー接触面９ａ〜１２ａに対向する金型成形面
を切削加工して、該各ミラー接触面９ａ〜１２ａの高さを適宜微調整することが行われて
いるが、その各ミラー接触面９ａ〜１２ａがほぼ同一の矩形状で比較的大きいため、それ
らに対向する金型成形面の切削加工に手間と時間とがかかって面倒であり、成形金型代が
高くつく。
【０００９】
本発明は、上記従来の欠点に鑑み、立ち上げミラーの小型化を図り成形金型代が安くつ
くようにした光ピックアップを提供することを目的としている。
【課題を解決するための手段】
【００１０】
上記目的を達成するため、請求項１に記載の発明は、ディスクの半径方向に沿って往復
移動可能な合成樹脂製スライドベースに、対物レンズを備えたアクチュエータ、レーザ光
源、受光素子及び立ち上げミラーが配置されており、前記アクチュエータを駆動して対物
レンズをフォーカス方向及びトラッキング方向に移動させ、前記レーザ光源から投射光を
立ち上げミラーで反射し対物レンズを通してディスクに投射し、その反射光を対物レンズ
に通し立ち上げミラーで反射して受光素子に受光させ、ディスクに記録されている情報を
読み取るようにした光ピックアップにおいて、前記立ち上げミラーに反射光の軌跡を取り
囲むようにして設定される楕円形有効範囲の長軸がディスク半径方向に沿って延ばされ、
前記立ち上げミラーをスライドベースに配置するための受座が、該スライドベースの光通
過孔を間に挟んでそのスライドベースに一体形成された互いに平行する一対の略三角形状
側壁と、前記光通過孔に接近して両側壁とは直交する方向に沿ってスライドベースに一体
形成された仕切壁とを有し、前記両側壁の内側面に立ち上げミラーの裏面四隅を支持する
ための４つの載置台が一体形成されており、立ち上げミラーを両側壁間に挿入して各載置
台上に載置し該立ち上げミラーの端縁を仕切壁に当てつけ、その立ち上げミラーの両側面
と各側壁との間に接着剤を塗布することにより、立ち上げミラーが受座に止着されており
、前記４つの載置台のうち、対角線上で対向する２つの位置合わせ用載置台のミラー接触
面の面積が残りの２つの位置決め用載置台のミラー接触面の面積よりも小さく設定されて
いることを特徴としている。
【００１１】
請求項２記載の発明は、ディスクの半径方向に沿って往復移動可能な合成樹脂製スライ
ドベースに、対物レンズを備えたアクチュエータ、レーザ光源、受光素子及び立ち上げミ
ラーが配置されており、前記アクチュエータを駆動して対物レンズをフォーカス方向及び
トラッキング方向に移動させ、前記レーザ光源から投射光を立ち上げミラーで反射し対物
レンズを通してディスクに投射し、その反射光を対物レンズに通し立ち上げミラーで反射
して受光素子に受光させ、ディスクに記録されている情報を読み取るようにした光ピック
アップにおいて、前記立ち上げミラーに反射光の軌跡を取り囲むようにして設定される楕
円形有効範囲の長軸がディスク半径方向に沿って延ばされていることを特徴としている。
【００１２】
請求項３に記載の発明は、ディスクの半径方向に沿って往復移動可能な合成樹脂製スラ
イドベースに、対物レンズを備えたアクチュエータ、レーザ光源、受光素子及び立ち上げ
ミラーが配置されており、前記アクチュエータを駆動して対物レンズをフォーカス方向及
びトラッキング方向に移動させ、前記レーザ光源から投射光を立ち上げミラーで反射し対
物レンズを通してディスクに投射し、その反射光を対物レンズに通し立ち上げミラーで反
射して受光素子に受光させ、ディスクに記録されている情報を読み取るようにした光ピッ
クアップにおいて、前記立ち上げミラーをスライドベースに配置するための受座が、該ス
ライドベースの光通過孔を間に挟んでそのスライドベースに一体形成された互いに平行す
る一対の略三角形状側壁と、前記光通過孔に接近して両側壁とは直交する方向に沿ってス
ライドベースに一体形成された仕切壁とを有し、前記両側壁の内側面に立ち上げミラーの
裏面四隅を支持するための４つの載置台が一体形成されており、立ち上げミラーを両側壁
間に挿入して各載置台上に載置し該立ち上げミラーの端縁を仕切壁に当てつけ、その立ち
上げミラーの両側面と各側壁との間に接着剤を塗布することにより、立ち上げミラーが受
座に止着されており、前記４つの載置台のうち、対角線上で対向する２つの位置合わせ用
載置台のミラー接触面の面積が残りの２つの位置決め用載置台のミラー接触面の面積より
も小さく設定されていることを特徴としている。
【発明の効果】
【００１３】
請求項１に記載の発明は実施の一形態（図１〜図６参照）に対応するものであって、こ
れによれば、立ち上げミラー上で反射光の軌跡が延びるディスク半径方向に対して有効範
囲の長軸がほぼ一致しているため、その有効範囲を反射光の軌跡よりもわずかに大きい程
度で従来よりも小さく設定することができ、それに伴って、立ち上げミラーを小型化して
コストダウンを図ることができる。
【００１４】
また、立ち上げミラーの姿勢を微調整する場合に、該立ち上げミラーを載置する４つの
載置台のうち、対角線上で対向する２つの位置合わせ用載置台のミラー接触面に対向する
金型成形面だけを切削加工すればよく、しかも、その２つの位置決め用載置台のミラー接
触面の面積が小さく設定されているので、微調整の精度を高めることができると共に、そ
の小面積の各ミラー接触面に対向する金型成形面の切削加工にかかる手間と時間とが従来
に比べて少なくなり、成形金型代を安くすることができる。
【００１５】
請求項２に記載の発明によれば、立ち上げミラー上で反射光の軌跡が延びるディスク半
径方向に対して有効範囲の長軸がほぼ一致しているため、その有効範囲を反射光の軌跡よ
りもわずかに大きい程度で従来よりも小さく設定することができ、それに伴って、立ち上
げミラーを小型化してコストダウンを図ることができる。
【００１６】
請求項３に記載の発明によれば、立ち上げミラーの姿勢を微調整する場合に、該立ち上
げミラーを載置する４つの載置台のうち、対角線上で対向する２つの位置合わせ用載置台
のミラー接触面に対向する金型成形面だけを切削加工すればよく、しかも、その２つの位
置決め用載置台のミラー接触面の面積が小さく設定されているので、微調整の精度を高め
ることができると共に、その小面積の各ミラー接触面に対向する金型成形面の切削加工に
かかる手間と時間とが従来に比べて少なくなり、成形金型代を安くすることができる。
【発明を実施するための最良の形態】
【００１７】
図１〜図６は本発明の実施の一形態である光ピックアップを示すものであって、図１に
示すように、スライドベース２の裏面に、立ち上げミラーＭを固定するための受座４と、
レーザ光源ＬＤから投射する投射光ａを通過させるためのレーザ孔５と、受光素子ＰＤに
投射される反射光ｂを通過させるための受光孔６とが形成されている。
【００１８】
前記受座４は、図２〜図４に示すように、スライドベース２のコリメータレンズＣ用光
通過孔８を間に挟んで該スライドベース２に一体形成された互いに平行する一対の略三角
形状側壁４ａと、光通過孔８に接近して両側壁４ａとは直交する方向に沿ってスライドベ
ース２に一体形成した仕切壁４ｂとを有し、前記両側壁４ａの内側面に４つの載置台９〜
１２が一体形成されており、立ち上げミラーＭを両側壁４ａ間に挿入して各載置台９〜１
２上に載置し該立ち上げミラーＭの端縁Ｍａを仕切壁４ｂに当てつけ、その立ち上げミラ
ーＭの両側面Ｍｂと各側壁４ａとの間に紫外線硬化性接着剤や熱硬化性接着剤などの接着
剤１３を塗布することにより、立ち上げミラーＭが受座４に止着されている。
【００１９】
前記各載置台９〜１２のうち、対角線上で対向する２つの位置合わせ用載置台９，１２
のミラー接触面９ａ，１２ａが略円形に形成されると共に、その各ミラー接触面９ａ，１
２ａの面積が残りの位置決め用載置台１０，１１の矩形状に形成したミラー接触面１０ａ
，１１ａの面積よりも小さく設定されている。
【００２０】
立ち上げミラーＭの姿勢を微調整するための手順を説明すると、図５（ａ）及び（ｂ）
に示すように、成形金型１５の各位置合わせ用載置台９，１２のミラー接触面９ａ，１２
ａに対向する金型成形面１５ａ，１５ｂだけを切削加工して微調整する。
【００２１】
上記構成によれば、立ち上げミラーＭの姿勢を微調整する場合に、該立ち上げミラーＭ
を載置する４つの載置台９〜１２のうち、対角線上で対向する２つの位置合わせ用載置台
９，１２のミラー接触面９ａ，１２ａに対向する金型成形面１５ａ，１５ｂだけを切削加
工すればよく、しかも、その２つの位置合わせ用載置台９，１２のミラー接触面９ａ，１
２ａの面積が小さく設定されているので、微調整の精度を高めることができると共に、そ
の小面積の各ミラー接触面９ａ，１２ａに対向する金型成形面１５ａ，１５ｂの切削加工
にかかる手間と時間とが従来に比べて少なくなり、成形金型代を安くすることができる。
【００２２】
図６に示すように、立ち上げミラーＭの反射光ｂの軌跡Ｂを取り囲むようにして設定さ
れる楕円形有効範囲Ａの長軸Ｏがディスク半径方向Ｘに沿って延ばされている。上記以外
の構成は図７〜図９に示す構成とほぼ同じであるから、同一部分に同一符号を付してその
説明を省略する。
【００２３】
具体的寸法の一例を示すと、図６に示すように、有効範囲Ａの長径ｈが５ｍｍ、その短
径ｔが４ｍｍであって、その長径ｈ及び短径ｔに合わせて立ち上げミラーＭの縦幅Ｈ及び
横幅Ｔが小さく設定されている。
【００２４】
上記構成によれば、立ち上げミラーＭ上で反射光ｂの軌跡Ｂが延びるディスク半径方向
Ｘに対して有効範囲Ａの長軸Ｏがほぼ一致しているため、その有効範囲Ａを反射光ｂの軌
跡Ｂよりもわずかに大きい程度で従来よりも小さく設定することができ、それに伴って、
立ち上げミラーＭを小型化してコストダウンを図ることができる。
【図面の簡単な説明】
【００２５】
【図１】本発明の実施の一形態である光ピックアップの裏面側分解斜視図である。
【図２】（ａ）は同要部を示す裏面図、（ｂ）は同要部の縦断面図である。
【図３】同要部の斜視図である。
【図４】同要部の分解斜視図である。
【図５】（ａ）及び（ｂ）は同立ち上げミラーの姿勢を微調整するための手順を説明する概略縦断面図である。
【図６】同立ち上げミラーにおける有効範囲を示す平面図である。
【図７】従来例を示す概略平面図である。
【図８】同原理図である。
【図９】同立ち上げミラーにおける有効範囲を示す平面図である。
【符号の説明】
【００２６】
２            スライドベース
３            アクチュエータ
４            受座
４ａ          受座の側壁
４ｂ          受座の仕切壁
８            光通過孔
９，１２      位置合わせ用載置台
１０，１１    位置決め用載置台
９ａ〜１２ａ  ミラー接触面
１３          接着剤
Ｄ            ディスク
Ｘ            ディスク半径方向
ＯＬ          対物レンズ
ＬＤ          レーザ光源
ＰＤ          受光素子
Ｍ            立ち上げミラー
ａ            投射光
ｂ            反射光
Ａ            有効範囲
Ｏ            有効範囲の長軸
Ｂ            反射光の軌跡
【図１】
2007242174.tif 000003
【図２】
2007242174.tif 000004
【図３】
2007242174.tif 000005
【図４】
2007242174.tif 000006
【図５】
2007242174.tif 000007
【図６】
2007242174.tif 000008
【図７】
2007242174.tif 000009
【図８】
2007242174.tif 000010
【図９】
2007242174.tif 000011